(57)【要約】【課題】マット内の電位線、又は導電子への出力切換えを簡単な構成にて行う事を目的とする。【解決手段】マット１内に配設された電位線４に電位治療用の高電圧を供給する電位回路１０を備えたものにおいて、この電位回路と電位線とを接続する接続回路１４の途中に、可動接片１６を備えた導電子１８用のプラグ端子１５を接続し、かつ可動接片を電位回路に接続し、プラグ端子の常閉端子１７を電位線に接続し、プラグ端子の挿入孔に導電子のプラグ１９を挿入することで導電子を可動接片を介して電位回路に接続すると同時に、可動接片を常閉端子から離開する様に構成して成るものである。【選択図】    図１
2004283389.tif 000002
【特許請求の範囲】
【請求項１】
マット内に配設された電位線に電位治療用の高電圧を供給する電位回路を備えたものにおいて、この電位回路と上記電位線とを接続する接続回路の途中に、可動接片を備えた導電子用のプラグ端子を接続し、かつ上記可動接片を上記電位回路に接続し、上記プラグ端子の常閉端子を上記電位線に接続し、上記プラグ端子に導電子のプラグを挿入することで、導電子を上記可動接片を介して電位回路に接続すると同時に、可動接片を常閉端子から離開する様に構成した事を特徴とする電気治療器。
【請求項２】
上記電位回路等の操作を行うリモートコントローラの適所に上記プラグ端子を装着した事を特徴とする、上記請求項１に記載の電気治療器。
【請求項３】
上記プラグ端子を上記マットの適所に配設した事を特徴とする、上記請求項１に記載の電気治療器。
【発明の詳細な説明】
【０００１】
【発明の属する技術分野】
本発明は、主に一般家庭で使用され、少なくとも電位治療機能を備えた電気治療器に関するものである。
【０００２】
【従来の技術】
一般家庭で使用される電位治療器で、特に例えば特許文献１等に示されている様に、複数又は単一の高圧発生回路より、電位線が配線された通電シート、又は所謂導電子と称される局所ペンに電位治療用の高電圧を供給するものでは、上記通電シートか局所ペンのどちらか一方のみに高電圧を供給して治療を行っている。
【０００３】
【特許文献１】
特開２００１−１３７３５７号公報
【０００４】
【発明が解決しようとする課題】
一方、上記電位治療器の様に、通電シート及び局所ペン用のプラグを同じ差込穴に挿入する構成では、誤接続を防止する為に、プラグ及び差込穴の形状が複雑となり、部品コストが高くなり、かつ挿入時の操作が行い難いという問題がある。
【０００５】
又、例えば受発光素子により差込穴内へのプラグの挿入を検出するものでは、プラグの挿入を検出する検出回路が必要となり、回路部品の追加によるコストアップを招くと共に、両方のプラグが同時に挿入された場合や、一方を使用中に他方のプラグが挿入された場合の制御等が必要となり、制御が複雑となるという問題がある。
【０００６】
そこで本発明は、比較的簡単な構成にて、マット内の電位線又は導電子のどちらか一方のみに通電する事を目的とするものである。
【０００７】
【課題を解決するための手段】
本発明は、マット内に配設された電位線に電位治療用の高電圧を供給する電位回路を備えたものにおいて、この電位回路と電位線とを接続する接続回路の途中に可動接片を備えた導電子用のプラグ端子を接続し、かつ可動接片を電位回路に接続し、プラグ端子の常閉端子を電位線に接続し、プラグ端子に導電子のプラグを挿入することで、導電子を可動接片を介して電位回路に接続すると同時に、可動接片を常閉端子から離開する様に構成して成るものである。
【０００８】
又本発明は、電位回路等の操作を行うリモートコントローラの適所にプラグ端子を装着して成るものである。
【０００９】
更に本発明は、プラグ端子をマットの適所に配設して成るものである。
【００１０】
【発明の実施の形態】
本発明の実施例を先ず図１に基づき説明すると、１は電気カーペット等に使用される材料を用いたマットで、内部上方に図示しないヒータを配線した上部温熱部２を内蔵していると共に、同じく内部下方に図示しないヒータを配線した脚部温熱部３を内蔵し、かつこの脚部温熱部に重なる様に電位線４を配線した電位治療部５を内蔵している。
【００１１】
６はコントローラで、接続コード７にて上記上部温熱部２や脚部温熱部３、電位治療部４に接続された制御回路８を内蔵していると共に、この制御回路は、上記上部温熱部２と脚部温熱部３への通電を制御する温熱回路９と、上記電位治療部５への通電を制御する電位回路１０と、これら温熱回路と電位回路を制御する制御回路部１１と、上記制御回路８等へ電力を供給する電源回路１２とから成り、この電源回路には電源ケーブル１３を接続している。
【００１２】
そして、上記制御回路８、上部温熱部２、脚部温熱部３を中心に温熱治療手段を構成し、同じく制御回路８、電位治療部５を中心に電位治療手段を構成している。
【００１３】
一方、上記コントローラ６には、上記電位回路１０と電位治療部５の電位線４とを接続する接続回路１４の途中に接続したプラグ端子１５を装着している。
【００１４】
又、上記プラグ端子１５は、電位回路１０の出力に接続した可動接片１６と、電位線４に接続した常閉端子１７とを備え、上記プラグ端子１５内に導電子１８のプラグ１９を挿入すると、このプラグの先端２０が可動接片１６に当接して回転し、常閉端子１７から離開すると共に、プラグ１９を可動接片１６を介して電位回路１０の出力に接続する様に構成している。
【００１５】
これらの構成により、電位治療部５又は導電子１８への切換えを、プラグ１９のプラグ端子１５への挿入のみで簡単に行う事が出来ると共に、プラグ１９を特殊な形状にする必要もなく、比較的安価な構成にて製作出来るものである。
【００１６】
図２は本発明の他の実施例を示すもので、上記プラグ端子１５をマット１の適所に配設しており、これにより、マット１に寝た状態でも導電子１８による電位治療を行うことができ、例えばプラグ１９をプラグ端子１５に挿入しないでマット１の電位治療部５にて電位治療を行った後、導電子１８のプラグ１９をプラグ端子１５に挿入すれば、体をほとんど動かすことなく、手軽に、マット１と導電子１８による電位治療を連続して行う事が出来るものである。
【００１７】
尚、上記実施例ではプラグ端子１５をマット１の電位治療部５に近接して配設しているが、これに限定されることなく、上部温熱部２に近接して配置しても良く、この場合、手元に近い位置でプラグ１９の着脱操作を行う事が出来、使い勝手を向上する事が出来るものである。
【００１８】
図３は本発明の他の実施例を示すもので、コード２１にて上記コントローラ６の制御回路８に接続するリモートコントローラ２２の、例えばケース２３の側面に上記プラグ端子１５を装着しており、この構成により、マット１に寝た状態や、椅子に腰掛けた状態でも導電子１８の使用による治療を行う事が出来、使い勝手を向上する事が出来るものである。
【００１９】
尚、上記リモートコントローラ２２には、例えばシーソー式の電源スイッチ２４、運転スイッチ２５、温熱治療の位置を、全身か脚部かに切替設定する温熱切替スイッチ２６、温熱治療時の温熱設定温度を選択設定する温度調節スイッチ２７、電位治療の強さを選択設定する電位調節スイッチ２８、電位治療の時間を選択設定する電位時間設定スイッチ２９、上記電源スイッチ２４に近接配置した電源ランプ３０、上記温熱切替スイッチ２６の横に近接配置した温熱位置を表示する温熱ランプ３１、上記温度調節スイッチ２７の横に近接配置した温度ランプ３２、上記電位調節スイッチ２８の横に近接配置した電位ランプ３３、上記電位時間設定スイッチ２９の横に近接配置した電位時間表示ランプ３４を配設している。
【００２０】
又、例えば上記リモートコントローラ２２を使って電位治療を行う場合には、電源スイッチ２４をオンした後、電位調節スイッチ２８及び電位時間設定スイッチ２９をオン操作して電位治療の出力や治療時間を選択設定することで、これらの操作を制御回路１１にて検出して電位回路１０を制御し、この電位回路より電位治療用の高電圧を電位治療部５の電位線４に出力して電位治療を開始する。
【００２１】
一方、導電子１８を使って治療を行う場合には、プラグ１９をプラグ端子１５、又は図３に示すリモートコントローラ２２に装着したプラグ端子１５に挿入することで、電位回路１０の出力を、可動接片１６−プラグ１９を介して導電子１８に接続し、この導電子にて電位治療を行う事が出来る。
【００２２】
又、上記プラグ１９の挿入によって、プラグ端子１５の可動接片１６が常閉接点１７から離れ、電位治療部５の電位線４への通電は停止される。
【００２３】
【発明の効果】
本発明の構成により、電位回路とマット内に配設した電位線とを接続する接続回路の途中に、可動接片を備えた導電子用のプラグ端子を接続し、このプラグ端子に導電子のプラグを挿入すると、導電子を可動接片を介して電位回路に接続すると同時に、可動接片を常閉端子から離開する様に構成したことで、簡単な構成で、かつ簡単な操作にて、誤操作を防止しながら、電位治療用の高電圧をマット又は導電子に切換えて供給する事が出来るものである。
【００２４】
又本発明の構成により、電位治療の強さや電位治療の時間等を設定するリモートコントローラの適所にプラグ端子を装着したことで、マットの上や椅子等、好みの場所で電位治療が行え、使い勝手を向上する事が出来るものである。
【００２５】
更に本発明の構成により、プラグ端子をマットの適所に配設したことで、例えばマットの電位線へ通電して電位治療を行った後、プラグ端子に導電子のプラグを挿入すれば、ほとんど体を動かすことなく、マットによる電位治療と導電子による電位治療を連続して行うことができ、使い勝手を大幅に向上する事が出来るものである。
【図面の簡単な説明】
【図１】本発明を用いた電気治療器の実施例を示す概略図である。
【図２】本発明の他の実施例を示す概略図である。
【図３】同じく他の実施例を示す斜視図である。
【符号の説明】
１    マット
４    電位線
１０  電位回路
１４  接続回路
１５  プラグ端子
１６  可動接片
１７  常閉端子
１８  導電子
１９  プラグ
２２  リモートコントローラ
【図１】
2004283389.tif 000003
【図２】
2004283389.tif 000004
【図３】
2004283389.tif 000005